(57)【要約】【課題】巻胴部に近い部分で、電線同士が擦れ電線の被覆が剥がれる等の課題があった。【解決手段】電線が巻回される概略四角形の巻胴部と、概略四角形の鍔部と、第一の凸部と、コイル端子１−１と、コイル端子１−２と、概略三角形の形状をした第一の案内溝と、その対称の位置にある第二の案内溝と、第二の凸部と、コイル端子２−１と、コイル端子２−２と、概略四角形で形成された第三の案内溝と、その対称の位置にある第四の案内溝とを備え、電線の巻き終わりが、前記第三の案内溝または前記第四の案内溝に沿うものである。【選択図】図１
2013207295.tif 000002
【特許請求の範囲】
【請求項１】
電線が巻回される概略四角形の巻胴部と、巻胴部における軸方向の両端に成形され、巻胴部の外周面よりも外側へ突起する概略四角形の鍔部と、前記鍔部のうち一方の鍔部の第一の辺の概略中心部分に当該鍔部の外周方向に第一の凸部を設け、その第一の凸部から当該鍔部の外周方向であって、あらかじめ定められた第一の距離だけ離れた位置に電線の端部が接続されるコイル端子１−１と、前記第一の凸部を中心に互いに対象の位置に電線の端部が接続されるコイル端子１−２と、さらに、前記第一の凸部の一方の角部と当該角部に相対する前記巻胴部端部の角部とを結ぶ線を斜辺とし、前記巻胴部端部の角部と前記第一の凸部を有する前記第一の辺とを結ぶ線と、前記鍔部の第一の辺により構成される概略三角形の形状をした第一の三角形の溝と、前記第一の三角形の溝とは前記第一の凸部の中心と前記巻胴部の中心を結ぶ線に対して互いに対象の位置にある第二の三角形の溝と、前記鍔部の第一の辺と対向する第二の辺の概略中心部分に第二の凸部と、その第二の凸部から当該鍔部の外周方向であって、あらかじめ定められた前記第一の距離よりも大きい第二の距離だけ離れた位置に、電線の端部が接続されるコイル端子２−１と、前記第二の凸部を中心に互いに対象の位置に、電線の端部が接続されるコイル端子２−２と、さらに、前記第二の凸部の一方の角部と、当該角部に相対する前記巻胴部端部の角部とを結ぶ線上で当該巻胴部端部よりも前記第二の凸部に近い点を第一の頂点とし、前記第２の凸部の一方の角部と前記第一の頂点を結ぶ線と、前記第二の辺の一部とを二つの辺とする概略四角形で形成された第三の溝と前記第第三の溝とは前記第二の凸部の中心と前記巻胴部の中心を結ぶ線に対して互いに対象の位置にある第四の溝とを備えたことを特徴とするコイルボビン。
【請求項２】
前記第三の溝は、前記第二の凸部の一方の角部と、当該角部に相対する前記巻胴部端部の角部とを結ぶ線上よりも外周よりで当該巻胴部端部よりも前記第二の凸部に近い点を第一の頂点とし、前記第２の凸部の一方の角部と前記第一の頂点を結ぶ線と、前記第二の辺の一部とを二つの辺とする概略四角形で形成され、前記第四の溝は前記第第三の溝とは前記第二の凸部の中心と前記巻胴部の中心を結ぶ線に対して互いに対象の位置に設けたことを特徴とする請求項１に記載のコイルボビン。
【発明の詳細な説明】
【技術分野】
【０００１】  本発明は磁気治療器のコイルを巻回しするためのコイルボビンに関する。
【背景技術】
【０００２】  以下、従来のコイルボビンについて図３を用いて説明する。
線材を巻回するコイルボビンの鍔部（１５）に構成された案内溝（１６）は、外周側へ行くに従って徐々に深くなると共に線材の巻き方向について徐々に浅くなるようにされ、かつその軸線方向から見た形状が前記巻軸の外周に頂点が接する扇形をなすように形成し、その案内溝（１６）の最も深い部分に、線材の始端部を沿わせるように構成されている。
【先行技術文献】
【特許文献】
【０００３】
【特許文献１】特開平０９−２５１９１３号公報
【発明の概要】
【発明が解決しようとする課題】
【０００４】  しかしながら、従来のコイルボビンでは巻胴部に近い部分で、電線同士が擦れ電線の被覆が剥がれる等の様々な要因による絶縁性能の低下を防止出来、また電線を整列巻きするためには巻き始め及び巻き終わりの電線をテープ等で仮止めする必要もあり非常に作業工程が複雑であるという課題を有していた。
【課題を解決するための手段】
【０００５】  上記課題を解決するために本発明のコイルボビンは、電線が巻回される概略四角形の巻胴部と、巻胴部における軸方向の両端に成形され、巻胴部の外周面よりも外側へ突起する概略四角形の鍔部と、前記鍔部のうち一方の鍔部の第一の辺の概略中心部分に当該鍔部の外周方向に第一の凸部を設け、その第一の凸部から当該鍔部の外周方向であって、あらかじめ定められた第一の距離だけ離れた位置に、電線の端部が接続されるコイル端子１−１と、前記第一の凸部を中心に互いに対象の位置に、電線の端部が接続されるコイル端子１−２と、さらに、前記第一の凸部の一方の角部と、当該角部に相対する前記巻胴部端部の角部とを結ぶ線を斜辺とし、前記巻胴部端部の角部と前記第一の凸部を有する前記第一の辺とを結ぶ線と、前記鍔部の第一の辺により構成される概略三角形の形状をした第一の三角形の溝と、前記第一の三角形の溝とは前記第一の凸部の中心と前記巻胴部の中心を結ぶ線に対して互いに対象の位置にある第二の三角形の溝と、前記鍔部の第一の辺と対向する第二の辺の概略中心部分に第二の凸部と、その第二の凸部から当該鍔部の外周方向であって、あらかじめ定められた前記第一の距離よりも大きい第二の距離だけ離れた位置に、電線の端部が接続されるコイル端子２−１と、前記第二の凸部を中心に互いに対象の位置に、電線の端部が接続されるコイル端子２−２と、さらに、前記第二の凸部の一方の角部と、当該角部に相対する前記巻胴部端部の角部とを結ぶ線上で当該巻胴部端部よりも前記第二の凸部に近い点を第一の頂点とし、前記角部と前記第一の頂点を結ぶ線と、前記第二の辺の一部とを二つの辺とする概略四角形で形成された第三の溝と、前記第第三の溝とは前記第二の凸部の中心と前記巻胴部の中心を結ぶ線に対して互いに対象の位置にある第四の溝とを備えたものである。【０００６】また、電線が巻回される概略四角形の巻胴部と、巻胴部における軸方向の両端に成形され、巻胴部の外周面よりも外側へ突起する概略四角形の鍔部と、前記第一の凸部と、前記コイル端子１−１と、前記コイル端子１−２と、前記第一の三角形の溝と、前記第二の凸部と、前記コイル端子２−１と、前記コイル端子２−２と、前記第三の溝とを備えたものである。
【発明の効果】
【０００７】  以上のように、本発明では、簡単な構成で絶縁性能の低下を防止でき、更には様々な巻線器にも対応可能で、巻線の腺種や巻数、左右どちらの方向でも巻線が対応可能であり、作業工程も軽減できる整列巻きが容易にできるという効果が得られるものである。
【図面の簡単な説明】
【０００８】
【図１】本発明の実施の形態に係るコイルボビンの概略構成を表す平面図
【図２】本発明の実施の形態に係るコイルボビンの一方の鍔部を表す斜視図
【図３】従来のコイルボビンを表す斜視図
【発明を実施するための形態】
【０００９】  以下、図面を参照して本発明の実施の形態に係るコイルボビンについて説明する。
尚、各図において、同一部分には同一符号を付している。
図１は本発明の実施の形態に係るコイルボビンの概略構成を表す平面図、図２は本発明の実施の形態に係るコイルボビンの一方の鍔部を表す斜視図である。図１、図２中の巻胴部（１４）の中にある鉄心部ついては図示していない。
【００１０】  本実施形態におけるボビンは、図１、図２に示すように、電線が整列巻回される概略四角形の巻胴部（１４）と、巻胴部（１４）の軸方向にそれぞれ形成される鍔部と、その一方の鍔部（１１）に設けられるコイル端子１−１（１）、コイル端子１−２（３）、コイル端子２−１（６）、コイル端子２−２（８）及び凸部１（２）、凸部２（７）と、さらに凸部１（２）の角から巻胴部（１４）の角部１（１２）とを結ぶ線を斜辺とする概略三角形の案内溝１（４）、凸部１（２）の中心と巻胴部（１４）の中心を結ぶ線に対して互いに対象の位置にある概略三角形の案内溝２（５）、凸部２（７）の角から巻胴部（１４）の角部２（１３）とを結ぶ線を斜辺とする概略三角形の案内溝３（９）、凸部２（７）の中心と巻胴部（１４）の中心を結ぶ線に対して互いに対象の位置にある概略三角形の案内溝４（１０）、から構成される。
【００１１】  電線は、コイル端子１−１（１）に絡げて、凸部１（２）のコイル端子１−２（３）側の角に引っ掛けて、案内溝２（５）に沿わして巻胴部（１４）の外周面において軸方向一端から他端にかけて順に巻き回して多層に形成されるコイルとなる。
巻き終りは、案内溝４（１０）に沿わして、凸部２（７）のコイル端子２−２（８）側の角に引っ掛けてコイル２−１（６）に絡げて固定する。
【００１２】  巻線器等を利用して整列巻回しをする場合には、ある程度電線にテンションをかけて、電線を張った状態でないと綺麗な整列巻きが出来ないので、巻き始め及び巻き終わりの電線をテープ等で仮止する必要性がある。また、巻き回しする電線の線径が１ｍｍ以下の細い線を使用する場合には、電源線と接続する作業工程を軽減する効果もあり、不特定の種類の電線を使用でき、テープ等で電線を仮止する必要性もなくなるために、電線を固定するコイル端子１−１（１）を設けた。またコイル端子１−２（３）を設けることで、巻回しする電線の方向を、右巻きでも左巻きでも可能にし、その後の作業工程の軽減にもなる。本発明のコイルボビンに電線を巻回しする際には、必ず電線の巻始めは、コイル端子１−１（１）若しくはコイル端子１−２（３）から行う。
【００１３】  次にコイル端子１−１（１）に電線を絡げ固定した電線を、巻胴部（１４）に容易に導くために、凸１部（２）及び案内溝２（５）を設けることで、容易に巻回しが行えるようにした。また、電線を巻回しする際に、電線同士が擦れあって電線の被覆が剥がれないように案内溝２（５）の溝の深さを、使用する電線の線径よりも深くしてある。
【００１４】  最後に、コイルボビンに巻回しされた電線を固定する際に、電線が弛まないようにするために、案内溝３（９）及び案内溝４（１０）、凸部２（７）を設け、電線を固定するためのボビン端子２−１（６）及び２−２（８）を設けている。本発明のコイルボビンに電線を巻回しする際には、必ず電線の巻終わりは、コイル端子２−１（６）若しくはコイル端子２−２（８）となる。
【００１５】  凸部１（２）及び凸部２（７）を設けることで、ボビン端子１−１（１）・ボビン端子１−２（３）・ボビン端子２−２（６）・ボビン端子２−２（８）に半田付をする際に半田の表面張力によって配線経路に入り込まないことや、半田する際の熱がコイル側に到達することなく、電線の皮膜剥離がコイル部分に達することを防止することができる。
【００１６】  本発明のコイルボビンをコイル端子の方向に複数個並べて使用する場合に、コイル端子１−１（１）からコイル端子１−２（３）までの間隔よりも、コイル端子２−１（６）からコイル端子２−２（８）までの間隔を広くすることで、コイル端子同士が当らないように構成されている。
【００１７】  以上のように構成されたコイルボビンにおいて、以下その測定動作について図１、図２、を用いて説明する。
【産業上の利用可能性】
【００１８】  本発明のコイルボビンは、人間及び動物用の医療・美容・理容・健康及びペット分野における磁気治療器の磁気発生装置に使用するコイルボビンに利用される。
【符号の説明】
【００１９】    １  コイル端子１−１
２  凸部１
３  コイル端子１−２
４  案内溝１
５  案内溝２
６  コイル端子２−１
７  凸部２
８  コイル端子２−２
９  案内溝３
１０  案内溝４
１１  鍔部
１２  角部１
１３  角部２
１４  巻胴部
１５  鍔部
１６  案内溝
【図１】
2013207295.tif 000003
【図２】
2013207295.tif 000004
【図３】
2013207295.tif 000005
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
電線が巻回される概略四角形の巻胴部と、この巻胴部における軸方向の両端に成形されかつ前記巻胴部の外周面よりも外側へ突起する概略四角形の鍔部とを有し、
これらの鍔部のうち一方の鍔部の第一の辺には、この第一の辺の概略中心部分から当該鍔部の外周面よりも外側へ突起する第一の凸部と、この第一の凸部から当該鍔部の外周方向に沿ってあらかじめ定められた第一の距離だけ離れた位置に電線の端部を接続させるコイル端子１−１と、このコイル端子１−１とは前記第一の凸部を中心に互いに対称の位置に電線の端部を接続させるコイル端子１−２とを設け、
前記一方の鍔部には、前記第一の凸部の一方の角部とこの角部に相対する前記巻胴部端部の角部とを結ぶ線を斜辺とし、前記巻胴部端部の角部と前記鍔部の第一の辺とを結ぶ線と、前記鍔部の第一の辺の一部とにより構成される概略三角形の形状をした第一の案内溝と、この第一の案内溝とは前記第一の凸部の中心と前記巻胴部の中心とを結ぶ線に対して互いに対称の位置にある第二の案内溝とを備え、
前記一方の鍔部の第一の辺と対向する第二の辺には、この第二の辺の概略中心部分から当該鍔部の外周面よりも外側へ突起する第二の凸部と、この第二の凸部から当該鍔部の外周方向に沿ってあらかじめ定められた前記第一の距離よりも大きい第二の距離だけ離れた位置に電線の端部を接続させるコイル端子２−１と、このコイル端子２−１とは前記第二の凸部を中心に互いに対称の位置に電線の端部を接続させるコイル端子２−２とを設けており、
前記一方の鍔部には、前記第二の凸部の一方の角部とこの角部に相対する前記巻胴部端部の角部とを結ぶ線上で前記巻胴部端部から前記第二の凸部に所定の距離だけ近づいた点を第一の頂点とし、この第一の頂点から前記巻胴部端部の角部に相対する当該鍔部の角部分に所定の距離だけ近づいた点を第二の頂点とし、この第二の頂点と第一の頂点とを結ぶ線と、この第一の頂点と前記第二の凸部の一方の角部とを結ぶ線と、前記鍔部の第二の辺の一部と、この第二の辺の一部における当該鍔部の角部分側の端と前記第二の頂点とを結ぶ線とにより構成される概略四角形の形状をした第三の案内溝と、この第三の溝とは前記第二の凸部の中心と前記巻胴部の中心とを結ぶ線に対して互いに対称の位置にある第四の案内溝とを備えていて、
前記巻胴部に巻回された電線における最外周の巻き終わりが、前記第三の案内溝または前記第四の案内溝に沿うことを特徴とするコイルボビン。
【請求項２】
請求項１に記載のコイルボビンを有していることを特徴とする磁気治療器。
【手続補正２】
【補正対象書類名】明細書
【補正対象項目名】全文
【補正方法】変更
【補正の内容】
【発明の詳細な説明】
【技術分野】
【０００１】
本発明は磁気治療器のコイルを巻回しするためのコイルボビン及びこれを有する磁気治療器に関する。
【背景技術】
【０００２】
以下、従来のコイルボビンについて図３を用いて説明する。
線材を巻回するコイルボビンの鍔部（１５）に構成された案内溝（１６）は、外周側へ行くに従って徐々に深くなると共に線材の巻き方向について徐々に浅くなるようにされ、かつその軸線方向から見た形状が前記巻軸の外周に頂点が接する扇形をなすように形成し、その案内溝（１６）の最も深い部分に、線材の始端部を沿わせるように構成されている。
【先行技術文献】
【特許文献】
【０００３】
【特許文献１】特開平０９−２５１９１３号公報
【発明の概要】
【発明が解決しようとする課題】
【０００４】
しかしながら、従来のコイルボビンでは巻胴部に近い部分で、電線同士が擦れ電線の被覆が剥がれる等の様々な要因による絶縁性能の低下を防止出来、また、電線を整列巻きするためには巻き始め及び巻き終わりの電線をテープ等で仮止めする必要もあり非常に作業工程が複雑であるという課題を有していた。
【課題を解決するための手段】
【０００５】
上記課題を解決するために本発明のコイルボビンは、電線が巻回される概略四角形の巻胴部と、この巻胴部における軸方向の両端に成形されかつ前記巻胴部の外周面よりも外側へ突起する概略四角形の鍔部とを有し、これらの鍔部のうち一方の鍔部の第一の辺には、この第一の辺の概略中心部分から当該鍔部の外周面よりも外側へ突起する第一の凸部と、この第一の凸部から当該鍔部の外周方向に沿ってあらかじめ定められた第一の距離だけ離れた位置に電線の端部を接続させるコイル端子１−１と、このコイル端子１−１とは前記第一の凸部を中心に互いに対称の位置に電線の端部を接続させるコイル端子１−２とを設け、前記一方の鍔部には、前記第一の凸部の一方の角部とこの角部に相対する前記巻胴部端部の角部とを結ぶ線を斜辺とし、前記巻胴部端部の角部と前記鍔部の第一の辺とを結ぶ線と、前記鍔部の第一の辺の一部とにより構成される概略三角形の形状をした第一の案内溝と、この第一の案内溝とは前記第一の凸部の中心と前記巻胴部の中心とを結ぶ線に対して互いに対称の位置にある第二の案内溝とを備え、前記一方の鍔部の第一の辺と対向する第二の辺には、この第二の辺の概略中心部分から当該鍔部の外周面よりも外側へ突起する第二の凸部と、この第二の凸部から当該鍔部の外周方向に沿ってあらかじめ定められた前記第一の距離よりも大きい第二の距離だけ離れた位置に電線の端部を接続させるコイル端子２−１と、このコイル端子２−１とは前記第二の凸部を中心に互いに対称の位置に電線の端部を接続させるコイル端子２−２とを設けており、前記一方の鍔部には、前記第二の凸部の一方の角部とこの角部に相対する前記巻胴部端部の角部とを結ぶ線上で前記巻胴部端部から前記第二の凸部に所定の距離だけ近づいた点を第一の頂点とし、この第一の頂点から前記巻胴部端部の角部に相対する当該鍔部の角部分に所定の距離だけ近づいた点を第二の頂点とし、この第二の頂点と第一の頂点とを結ぶ線と、この第一の頂点と前記第二の凸部の一方の角部とを結ぶ線と、前記鍔部の第二の辺の一部と、この第二の辺の一部における当該鍔部の角部分側の端と前記第二の頂点とを結ぶ線とにより構成される概略四角形の形状をした第三の案内溝と、この第三の溝とは前記第二の凸部の中心と前記巻胴部の中心とを結ぶ線に対して互いに対称の位置にある第四の案内溝とを備えていて、前記巻胴部に巻回された電線における最外周の巻き終わりが、前記第三の案内溝または前記第四の案内溝に沿うものである。
【０００６】
また、上記課題を解決するために本発明の磁気治療器は、前記コイルボビンを有しているものである。
【発明の効果】
【０００７】
以上のように、本発明では、簡単な構成で絶縁性能の低下を防止でき、更には様々な巻線器にも対応可能で、巻線の線種や巻数、左右どちらの方向でも巻線が対応可能であり、作業工程も軽減できる整列巻きが容易にできるという効果が得られるものである。
【図面の簡単な説明】
【０００８】
【図１】本発明の実施の形態に係るコイルボビンの概略構成を表す平面図である。
【図２】本発明の実施の形態に係るコイルボビンの一方の鍔部を表す斜視図である。
【図３】従来のコイルボビンを表す斜視図である。
【発明を実施するための形態】
【０００９】
以下、図面を参照して本発明の実施の形態に係るコイルボビンについて説明する。
尚、各図において、同一部分には同一符号を付している。
図１は本発明の実施の形態に係るコイルボビンの概略構成を表す平面図、図２は本発明の実施の形態に係るコイルボビンの一方の鍔部を表す斜視図である。図１、図２中の巻胴部（１４）の中にある鉄心部ついては図示していない。
【００１０】
本実施形態におけるボビンは、図１、図２に示すように、電線が整列巻回される概略四角形の巻胴部（１４）と、巻胴部（１４）の軸方向にそれぞれ形成される鍔部と、その一方の鍔部（１１）に設けられるコイル端子１−１（１）、コイル端子１−２（３）、コイル端子２−１（６）、コイル端子２−２（８）及び凸部１（２）、凸部２（７）と、さらに凸部１（２）の角から巻胴部（１４）の角部１（１２）とを結ぶ線を斜辺とする概略三角形の案内溝１（４）、凸部１（２）の中心と巻胴部（１４）の中心を結ぶ線に対して互いに対称の位置にある概略三角形の案内溝２（５）、凸部２（７）の角から巻胴部（１４）の角部２（１３）とを結ぶ線を斜辺とする概略三角形の案内溝３（９）、凸部２（７）の中心と巻胴部（１４）の中心を結ぶ線に対して互いに対称の位置にある概略三角形の案内溝４（１０）、から構成される。
【００１１】
電線は、コイル端子１−１（１）に絡げて、凸部１（２）のコイル端子１−２（３）側の角に引っ掛けて、案内溝２（５）に沿わして巻胴部（１４）の外周面において軸方向一端から他端にかけて順に巻き回して多層に形成されるコイルとなる。
巻き終わりは、案内溝４（１０）に沿わして、凸部２（７）のコイル端子２−２（８）側の角に引っ掛けてコイル端子２−１（６）に絡げて固定する。
【００１２】
巻線器等を利用して整列巻回しをする場合には、ある程度電線にテンションをかけて、電線を張った状態でないと綺麗な整列巻きが出来ないので、巻き始め及び巻き終わりの電線を仮止めする必要性がある。また、巻き回しする電線の線径が１mm以下の細い線を使用する場合には、電源線と接続する作業工程を軽減する効果もあり、不特定の種類の電線を使用でき、テープ等で電線を仮止めする必要性もなくなるために、電線を固定するコイル端子１−１（１）を設けた。また、コイル端子１−２（３）を設けることで、巻回しする電線の方向を、右巻きでも左巻きでも可能にし、その後の作業工程の軽減にもなる。本発明のコイルボビンに電線を巻回しする際には、必ず電線の巻始めは、コイル端子１−１（１）若しくはコイル端子１−２（３）から行う。
【００１３】
次に、コイル端子１−１（１）に電線を絡げ固定した電線を、巻胴部（１４）に容易に導くために、凸１部（２）及び案内溝２（５）を設けることで、容易に巻回しが行えるようにした。また、電線を巻回しする際に、電線同士が擦れあって電線の被覆が剥がれないように案内溝２（５）の溝の深さを、使用する電線の線径よりも深くしてある。
【００１４】
最後に、コイルボビンに巻回しされた電線を固定する際に、電線が弛まないようにするために、案内溝３（９）及び案内溝４（１０）、凸部２（７）を設け、電線を固定するためのコイル端子２−１（６）及び２−２（８）を設けている。本発明のコイルボビンに電線を巻回しする際には、必ず電線の巻終わりは、コイル端子２−１（６）若しくはコイル端子２−２（８）となる。
【００１５】
凸部１（２）及び凸部２（７）を設けることで、コイル端子１−１（１）・コイル端子１−２（３）・コイル端子２−２（６）・コイル端子２−２（８）に半田付をする際に半田の表面張力によって配線経路に入り込まないことや、半田する際の熱がコイル側に到達することなく、電線の皮膜剥離がコイル部分に達することを防止することができる。
【００１６】
本発明のコイルボビンをコイル端子の方向に複数個並べて使用する場合に、コイル端子１−１（１）からコイル端子１−２（３）までの間隔よりも、コイル端子２−１（６）からコイル端子２−２（８）までの間隔を広くすることで、コイル端子同士が当らないように構成されている。
【００１７】
以上のように構成されたコイルボビンにおいて、以下その測定動作について図１、図２、を用いて説明する。
【産業上の利用可能性】
【００１８】
本発明のコイルボビンは、人間及び動物用の医療・美容・理容・健康及びペット分野における磁気治療器の磁気発生装置に使用するコイルボビンに利用される。
【符号の説明】
【００１９】
１  コイル端子１−１  
２  凸部１
３  コイル端子１―２
４  案内溝１
５  案内溝２
６  コイル端子２−１
７  凸部２
８  コイル端子２−２
９  案内溝３
１０  案内溝４
１１  鍔部
１２  角部１
１３  角部２
１４  巻胴部
１５  鍔部
１６  案内溝